(57)【要約】【課題】  上部筐体と下部筐体との結合作業や分離作業の作業効率を向上する。【解決手段】  分離型スロットマシンは下部筐体と上部筐体とからなる。スライド機構により下部筐体に対して前後方向にスライド可能に支持される上部筐体が後方へスライドされると、結合位置で係止部８７Ｌが被係止部８５Ｌに係止されることで上部筐体がロックされて下部筐体に結合される。また、解除機構８９Ｌのレバー５３Ｌの前方への移動により係止部８７Ｌの被係止部８５Ｌへの係止が解除されると上部筐体３Ｕが下部筐体３Ｄに対して前方へスライド可能となり、そのまま上部筐体３Ｕを前方にスライドさせると下部筐体３Ｄから分離される。【選択図】  図１８
2006141662.tif 000002
【特許請求の範囲】
【請求項１】
電源ユニットと遊技者にメダルを払い出すためのホッパーユニットとを内部に備えた下部筐体と、
複数の図柄が表示された回転リールが配設されたリールユニットと遊技者が操作するスイッチ群が配設された操作ユニットと各ユニットの動作を制御する制御基板が配設された基板ユニットとを備えた上部筐体と、
前記下部筐体に対して前記上部筐体を前後方向にスライド可能に支持するスライド機構と、
前記下部筐体に対してスライドする前記上部筐体を所定の結合位置でロックするロック機構と、
前記ロック機構のロックを解除する解除機構とを備え、
前記上部筐体が、前記下部筐体に対し前方へスライドして該下部筐体から分離され、かつ、後方へスライドして該下部筐体に結合される
ことを特徴とする分離型スロットマシン。
【請求項２】
前記スライド機構は、
前記下部筐体の上面の左右端部にそれぞれ立設された立直部と、該立直部の上端が折曲された折曲部とを有し断面Ｌ字状に形成された前後方向に延びる一対の下部ガイドレールと、
前記上部筐体の下面の左右端部であって前記各下部ガイドレールに対応する位置にそれぞれ立設された立直部と、該立直部の下端が折曲された折曲部とを有し断面Ｌ字状に形成された前後方向に延びる一対の上部ガイドレールとを備え、
前記下部ガイドレールの折曲部に対して前記上部ガイドレールの折曲部が下方から対峙するように、前記上部ガイドレールがスライド自在に前記下部ガイドレールに遊びを持って係合する
ことを特徴とする請求項１に記載の分離型スロットマシン。
【請求項３】
前記下部ガイドレールの折曲部は立直部の上端が外側に向けて折曲され、
前記上部ガイドレールの折曲部は立直部の下端が内側に向けて折曲され、
前記下部ガイドレールの前端における下部ガイドレールの立直部の左右の外寸が、前記上部ガイドレールの後端における上部ガイドレールの折曲部の左右の内寸よりも小さく、
かつ、下部ガイドレールの立直部の左右の外寸は該下部ガイドレールの後端に比べて前端の方が小さい
ことを特徴とする請求項２に記載の分離型スロットマシン。
【請求項４】
前記下部ガイドレールの折曲部は立直部の上端が内側に向けて折曲され、
前記上部ガイドレールの折曲部は立直部の下端が外側に向けて折曲され、
前記下部ガイドレールの前端における下部ガイドレールの立直部の左右の内寸が、前記上部ガイドレールの後端における上部ガイドレールの折曲部の左右の外寸よりも大きく、
かつ、下部ガイドレールの立直部の左右の内寸は該下部ガイドレールの後端に比べて前端の方が大きい
ことを特徴とする請求項２に記載の分離型スロットマシン。
【請求項５】
前記上部ガイドレールの前記折曲部の水平方向の幅寸法が、後端に比し前端が大きく形成され、かつ、前記下部ガイドレールの前記立直部の水平方向の厚さ寸法が、後端に比し前端が小さく形成されている
ことを特徴とする請求項３または４に記載の分離型スロットマシン。
【請求項６】
前記結合位置において、前記上部ガイドレールの前記折曲部と前記下部ガイドレールの前記立直部との間の水平方向の遊びが、両ガイドレールの前端から後端に亘ってほぼ均一であることを特徴とする請求項３ないし５のいずれかに記載の分離型スロットマシン。
【請求項７】
前記下部ガイドレールの折曲部の下面と前記下部筐体の上面との第１隙間の、前記下部ガイドレールの前端における寸法が、前記上部ガイドレールの後端における該上部ガイドレールの折曲部の鉛直方向の厚さ寸法よりも大きく、
前記上部ガイドレールの折曲部の上面と前記上部筐体の下面との第２隙間の、前記上部ガイドレールの後端における寸法が、前記下部ガイドレールの前端における該下部ガイドレールの折曲部の鉛直方向の厚さ寸法よりも大きく、
かつ、前記第１隙間の寸法は前記下部ガイドレールの後端に比べて前端の方が大きく、
前記第２隙間の寸法は前記上部ガイドレールの前端に比べて後端の方が大きい
ことを特徴とする請求項２ないし６のいずれかに記載の分離型スロットマシン。
【請求項８】
前記上部ガイドレールの前記折曲部の鉛直方向の厚さ寸法が、後端に比し前端が大きく形成され、かつ、前記下部ガイドレールの前記折曲部の鉛直方向の厚さ寸法が、後端に比し前端が小さく形成されている
ことを特徴とする請求項７に記載の分離型スロットマシン。
【請求項９】
前記結合位置において、前記上部ガイドレールの前記折曲部と前記下部ガイドレールの前記折曲部との間の鉛直方向の遊びが、両ガイドレールの前端から後端に亘ってほぼ均一であることを特徴とする請求項７または８に記載の分離型スロットマシン。
【請求項１０】
前記ロック機構は、
前記下部筐体の上面に設けられた被係止部と、
前記上部筐体の下面に設けられた係止部とを備え、
前記スライド機構により支持された前記上部筐体の、前記下部筐体に対する後方へのスライドの際、前記上部筐体の前記結合位置への到達時に前記係止部が前記被係止部と係止することで前記上部筐体をロックする
ことを特徴とする請求項１ないし９のいずれかに記載の分離型スロットマシン。
【請求項１１】
前記被係止部が、正面視で下が開放したほぼコ字状に形成されたもので、
前記係止部が、
前後方向に延びる作動体と、
前記作動体の後端部に形成された前方に向かって上向きの傾斜面と、該傾斜面の前端に形成された下向きの鉛直面とを有するフックと、
前記上部筐体の下面に固定され、前記作動体のほぼ中央を左右方向に貫通する支軸により該支軸周りに前記作動体を回動可能に支持する支持体と、
前記作動体の後端を上方に付勢する付勢部材と、
前記支持体に形成され、前記作動体に当接して前記付勢部材の付勢力による前記作動体の回動を規制する作動体規制部と、
前記支持体に形成され、前記被係止部の上部前端に当接して前記上部筐体の後方へのスライドを規制するスライド規制部とを備え、
前記スライド機構により支持された前記上部筐体の前記下部筐体に対する後方へのスライド時に、前記フックの傾斜面が前記被係止部の上部前端を摺接することにより前記作動体の後端が前記付勢部材の付勢力に抗して下動する向きに前記作動体が回動し、前記フックの鉛直面が前記被係止部の上部後端に到達すると、前記付勢部材の付勢力により前記作動体が回動前の状態に復帰することで、前記フックの鉛直面が前記被係止部の上部後端に当接するとともに前記スライド規制部が前記被係止部の上部前端に当接する
ことを特徴とする請求項１０に記載の分離型スロットマシン。
【請求項１２】
前記上部筐体が、
その前下部に前記下部筐体から分離するための操作空間を有し、
前記解除機構が、
前記上部筐体の前記操作空間内の把持可能な位置に前後方向に移動自在に配設されたレバーを備え、該レバーの把持に伴う前方への移動により前記係止部の前記被係止部との係止が解除される
ことを特徴とする請求項１０または１１に記載の分離型スロットマシン。
【請求項１３】
前記上部筐体が、
その前下部に前記下部筐体から分離するための操作空間を有し、
前記解除機構が、
前記上部筐体の前記操作空間内の把持可能な位置に前後方向に移動自在に配設されたレバーと、
前記レバーに連結され、該レバーの把持に伴う前方への移動により前記作動体に当接して、該作動体の後端が前記付勢部材の付勢力に抗して下動する向きに前記作動体を回動させるリンク機構とを備え、
前記レバーが前方に移動すると前記作動体の後端が前記付勢部材の付勢力に抗して下動する向きに前記作動体が回動することで、前記フックの鉛直面が前記被係止部の上部後端との当接状態から解放されて、前記係止部の前記被係止部との係止が解除される
ことを特徴とする請求項１１に記載の分離型スロットマシン。
【請求項１４】
前記リンク機構が、
前記レバーの後方に配設された左右方向に延びる作動軸と、
その両端部がそれぞれ前記レバーと前記作動軸とに固定された連結体と、
前記作動軸の両端がそれぞれ嵌挿する一対の透孔が一端側に透設され、前記作動体の前端部下面の下方に位置する当接部が他端側に形成された可動枠体と、
前記上部筐体の前下部の内側に固定され、前記可動枠体のほぼ中央を左右方向に貫通する支持軸により該支持軸周りに前記可動枠体を回動可能に支持する固定枠体と、
前記可動枠体の当接部が下動して前記作動体の前端部下面から離間するとともに前記作動軸が後方に移動する向きに前記可動枠体を付勢する付勢体と、
前記固定枠体に形成され、前記作動軸に当接して前記付勢体の付勢力による前記可動枠体の回動を規制する可動枠体規制部とを備え、
把持された前記レバーの前方への移動により前記連結体を介して連結された前記作動軸が前記付勢体の付勢力に抗して前方に移動し、この作動軸の前方への移動により前記可動枠体の当接部が上動する向きに前記可動枠体が回動し、前記可動枠体の当接部が前記作動体の前端部下面に当接して該前端部を持ち上げることで、前記作動体の後端が前記付勢部材の付勢力に抗して下動する向きに前記作動体が回動する
ことを特徴とする請求項１３に記載の分離型スロットマシン。
【請求項１５】
前記上部筐体の前記下部筐体との結合状態で前記操作空間を閉塞する閉塞部材をさらに備えたことを特徴とする請求項１２ないし１４のいずれかに記載の分離型スロットマシン。
【請求項１６】
前記ロック機構および前記解除機構がそれぞれ左右２箇所に設けられていることを特徴とする請求項１ないし１１のいずれかに記載の分離型スロットマシン。
【請求項１７】
前記ロック機構、前記解除機構および前記操作空間がそれぞれ左右２箇所に設けられていることを特徴とする請求項１２ないし１５のいずれかに記載の分離型スロットマシン。
【発明の詳細な説明】
【技術分野】
【０００１】
この発明は、上部筐体と下部筐体とを分離可能に構成した分離型スロットマシンに関するものである。
【背景技術】
【０００２】
従来のスロットマシンは、箱形の筐体と、筐体の前面を開閉自在に閉塞する前扉とを備え、リールユニットやホッパーユニット、基板ユニットなどが内部に固定配置されて構成されており、遊技内容を変更する際にはマシン全体を交換していた。これに対して、遊技内容に直接関係しないホッパーユニットなどを有効活用するために、遊技内容に直接関係するリールユニットなどからなる交換ユニットのみを交換可能にした分離型スロットマシンが提案されている（例えば特許文献１参照）。この特許文献１に記載の分離型スロットマシンでは、上部筐体を下部筐体に結合する際には、下部筐体の上面に形成された一対のガイド突起により位置決めして上部筐体を下部筐体の上に載置し、その状態で固定手段により固定するようになっている。また、上部筐体を下部筐体から分離する際には、固定手段を操作して固定を解除した後に、上部筐体を持ち上げて下部筐体から分離するようになっている。
【０００３】
【特許文献１】特開２００３−３３９９４０号公報（００８６〜００９５、図２）
【発明の開示】
【発明が解決しようとする課題】
【０００４】
すなわち、上記従来の特許文献１に記載の分離型スロットマシンでは、上部筐体を下部筐体に結合するためには、上部筐体を下部筐体の上に載置する作業と、固定手段を操作する作業とが別々の作業として必要になっていた。しかも、固定手段を操作するには、そのための作業スペースを確保しなければならないことから、上部筐体と下部筐体との結合や分離作業を行うときは、一々上部筐体に収容されるユニットを取り外して内部を空にする作業が必要であった。このように、上記従来の特許文献１に記載の分離型スロットマシンでは、上部筐体と下部筐体との結合作業や分離作業の作業効率が良くなかった。
【０００５】
本発明は、上記課題に鑑みてなされたもので、上部筐体と下部筐体との結合作業や分離作業の作業効率を向上した分離型スロットマシンを提供することを目的とする。
【課題を解決するための手段】
【０００６】
上記目的を達成するために、本発明にかかる分離型スロットマシンは、電源ユニットと遊技者にメダルを払い出すためのホッパーユニットとを内部に備えた下部筐体と、複数の図柄が表示された回転リールが配設されたリールユニットと遊技者が操作するスイッチ群が配設された操作ユニットと各ユニットの動作を制御する制御基板が配設された基板ユニットとを備えた上部筐体と、前記下部筐体に対して前記上部筐体を前後方向にスライド可能に支持するスライド機構と、前記下部筐体に対してスライドする前記上部筐体を所定の結合位置でロックするロック機構と、前記ロック機構のロックを解除する解除機構とを備え、前記上部筐体が、前記下部筐体に対し前方へスライドして該下部筐体から分離され、かつ、後方へスライドして該下部筐体に結合されることを特徴としている（請求項1）。
【０００７】
また、前記スライド機構は、前記下部筐体の上面の左右端部にそれぞれ立設された立直部と、該立直部の上端が折曲された折曲部とを有し断面Ｌ字状に形成された前後方向に延びる一対の下部ガイドレールと、前記上部筐体の下面の左右端部であって前記各下部ガイドレールに対応する位置にそれぞれ立設された立直部と、該立直部の下端が折曲された折曲部とを有し断面Ｌ字状に形成された前後方向に延びる一対の上部ガイドレールとを備え、前記下部ガイドレールの折曲部に対して前記上部ガイドレールの折曲部が下方から対峙するように、前記上部ガイドレールがスライド自在に前記下部ガイドレールに遊びを持って係合するとしてもよい（請求項２）。
【０００８】
また、前記下部ガイドレールの折曲部は立直部の上端が外側に向けて折曲され、前記上部ガイドレールの折曲部は立直部の下端が内側に向けて折曲され、前記下部ガイドレールの前端における下部ガイドレールの立直部の左右の外寸が、前記上部ガイドレールの後端における上部ガイドレールの折曲部の左右の内寸よりも小さく、かつ、下部ガイドレールの立直部の左右の外寸は該下部ガイドレールの後端に比べて前端の方が小さいとしてもよい（請求項３）。
【０００９】
また、前記下部ガイドレールの折曲部は立直部の上端が内側に向けて折曲され、前記上部ガイドレールの折曲部は立直部の下端が外側に向けて折曲され、前記下部ガイドレールの前端における下部ガイドレールの立直部の左右の内寸が、前記上部ガイドレールの後端における上部ガイドレールの折曲部の左右の外寸よりも大きく、かつ、下部ガイドレールの立直部の左右の内寸は該下部ガイドレールの後端に比べて前端の方が大きいとしてもよい（請求項４）。
【００１０】
また、前記上部ガイドレールの前記折曲部の水平方向の幅寸法が、後端に比し前端が大きく形成され、かつ、前記下部ガイドレールの前記立直部の水平方向の厚さ寸法が、後端に比し前端が小さく形成されているとしてもよい（請求項５）。
【００１１】
また、前記結合位置において、前記上部ガイドレールの前記折曲部と前記下部ガイドレールの前記立直部との間の水平方向の遊びが、両ガイドレールの前端から後端に亘ってほぼ均一であるとしてもよい（請求項６）。
【００１２】
また、前記下部ガイドレールの折曲部の下面と前記下部筐体の上面との第１隙間の、前記下部ガイドレールの前端における寸法が、前記上部ガイドレールの後端における該上部ガイドレールの折曲部の鉛直方向の厚さ寸法よりも大きく、前記上部ガイドレールの折曲部の上面と前記上部筐体の下面との第２隙間の、前記上部ガイドレールの後端における寸法が、前記下部ガイドレールの前端における該下部ガイドレールの折曲部の鉛直方向の厚さ寸法よりも大きく、かつ、前記第１隙間の寸法は前記下部ガイドレールの後端に比べて前端の方が大きく、前記第２隙間の寸法は前記上部ガイドレールの前端に比べて後端の方が大きいとしてもよい（請求項７）。
【００１３】
また、前記上部ガイドレールの前記折曲部の鉛直方向の厚さ寸法が、後端に比し前端が大きく形成され、かつ、前記下部ガイドレールの前記折曲部の鉛直方向の厚さ寸法が、後端に比し前端が小さく形成されているとしてもよい（請求項８）。
【００１４】
また、前記結合位置において、前記上部ガイドレールの前記折曲部と前記下部ガイドレールの前記折曲部との間の鉛直方向の遊びが、両ガイドレールの前端から後端に亘ってほぼ均一であるとしてもよい（請求項９）。
【００１５】
また、前記ロック機構は、前記下部筐体の上面に設けられた被係止部と、前記上部筐体の下面に設けられた係止部とを備え、前記スライド機構により支持された前記上部筐体の、前記下部筐体に対する後方へのスライドの際、前記上部筐体の前記結合位置への到達時に前記係止部が前記被係止部と係止することで前記上部筐体をロックするとしてもよい（請求項１０）。
【００１６】
また、前記被係止部が、正面視で下が開放したほぼコ字状に形成されたもので、前記係止部が、前後方向に延びる作動体と、前記作動体の後端部に形成された前方に向かって上向きの傾斜面と、該傾斜面の前端に形成された下向きの鉛直面とを有するフックと、前記上部筐体の下面に固定され、前記作動体のほぼ中央を左右方向に貫通する支軸により該支軸周りに前記作動体を回動可能に支持する支持体と、前記作動体の後端を上方に付勢する付勢部材と、前記支持体に形成され、前記作動体に当接して前記付勢部材の付勢力による前記作動体の回動を規制する作動体規制部と、前記支持体に形成され、前記被係止部の上部前端に当接して前記上部筐体の後方へのスライドを規制するスライド規制部とを備え、前記スライド機構により支持された前記上部筐体の前記下部筐体に対する後方へのスライド時に、前記フックの傾斜面が前記被係止部の上部前端を摺接することにより前記作動体の後端が前記付勢部材の付勢力に抗して下動する向きに前記作動体が回動し、前記フックの鉛直面が前記被係止部の上部後端に到達すると、前記付勢部材の付勢力により前記作動体が回動前の状態に復帰することで、前記フックの鉛直面が前記被係止部の上部後端に当接するとともに前記スライド規制部が前記被係止部の上部前端に当接するとしてもよい（請求項１１）。
【００１７】
また、前記上部筐体が、その前下部に前記下部筐体から分離するための操作空間を有し、前記解除機構が、前記上部筐体の前記操作空間内の把持可能な位置に前後方向に移動自在に配設されたレバーを備え、該レバーの把持に伴う前方への移動により前記係止部の前記被係止部との係止が解除されるとしてもよい（請求項１２）。
【００１８】
また、前記上部筐体が、その前下部に前記下部筐体から分離するための操作空間を有し、前記解除機構が、前記上部筐体の前記操作空間内の把持可能な位置に前後方向に移動自在に配設されたレバーと、前記レバーに連結され、該レバーの把持に伴う前方への移動により前記作動体に当接して、該作動体の後端が前記付勢部材の付勢力に抗して下動する向きに前記作動体を回動させるリンク機構とを備え、前記レバーが前方に移動すると前記作動体の後端が前記付勢部材の付勢力に抗して下動する向きに前記作動体が回動することで、前記フックの鉛直面が前記被係止部の上部後端との当接状態から解放されて、前記係止部の前記被係止部との係止が解除されるとしてもよい（請求項１３）。
【００１９】
また、前記リンク機構が、前記レバーの後方に配設された左右方向に延びる作動軸と、その両端部がそれぞれ前記レバーと前記作動軸とに固定された連結体と、前記作動軸の両端がそれぞれ嵌挿する一対の透孔が一端側に透設され、前記作動体の前端部下面の下方に位置する当接部が他端側に形成された可動枠体と、前記上部筐体の前下部の内側に固定され、前記可動枠体のほぼ中央を左右方向に貫通する支持軸により該支持軸周りに前記可動枠体を回動可能に支持する固定枠体と、前記可動枠体の当接部が下動して前記作動体の前端部下面から離間するとともに前記作動軸が後方に移動する向きに前記可動枠体を付勢する付勢体と、前記固定枠体に形成され、前記作動軸に当接して前記付勢体の付勢力による前記可動枠体の回動を規制する可動枠体規制部とを備え、把持された前記レバーの前方への移動により前記連結体を介して連結された前記作動軸が前記付勢体の付勢力に抗して前方に移動し、この作動軸の前方への移動により前記可動枠体の当接部が上動する向きに前記可動枠体が回動し、前記可動枠体の当接部が前記作動体の前端部下面に当接して該前端部を持ち上げることで、前記作動体の後端が前記付勢部材の付勢力に抗して下動する向きに前記作動体が回動するとしてもよい（請求項１４）。
【００２０】
また、前記上部筐体の前記下部筐体との結合状態で前記操作空間を閉塞する閉塞部材をさらに備えたとしてもよい（請求項１５）。
【００２１】
また、前記ロック機構および前記解除機構がそれぞれ左右２箇所に設けられているとしてもよい（請求項１６）。
【００２２】
また、前記ロック機構、前記解除機構および前記操作空間がそれぞれ左右２箇所に設けられているとしてもよい（請求項１７）。
【発明の効果】
【００２３】
請求項１の発明によれば、スライド機構により下部筐体に対して前後方向にスライド可能に支持される上部筐体が、後方へスライドしてロック機構により結合位置でロックされて該下部筐体に結合され、解除機構によりロックが解除されて下部筐体に対し前方へスライドして該下部筐体から分離されるため、上部筐体の後方へのスライドからロック機構によるロックに至る動作や、解除機構によるロック解除から上部筐体の前方へのスライドに至る動作をそれぞれ連続的に行うことができ、これによって上部筐体と下部筐体との結合作業や分離作業の作業効率を向上することができる。
【００２４】
また、請求項２の発明によれば、スライド機構は、断面Ｌ字状の一対の下部ガイドレールと、断面Ｌ字状の一対の上部ガイドレールとを備え、下部ガイドレールの折曲部に対して上部ガイドレールの折曲部が下方から対峙するように、上部ガイドレールがスライド自在に下部ガイドレールに遊びを持って係合するため、上部筐体とともに下部筐体を一体的に持ち上げることができる。したがって、運搬などの際には通常の一体型スロットマシンと同様に取り扱うことができ、これによって、分離型スロットマシンとしての使い勝手を向上することができる。また、下部ガイドレールの折曲部に対して上部ガイドレールの折曲部が下方から対峙しているため、両ガイドレールの立直部により上部筐体と下部筐体との境界を確実に閉塞することができ、これによって、上部筐体と下部筐体との境界を通して異物を内部に挿入するなどの不正行為を未然に防止することができる。
【００２５】
また、請求項３の発明によれば、下部ガイドレールの折曲部に対して上部ガイドレールの折曲部が下方から対峙し、かつ、下部ガイドレールの折曲部は立直部の上端が外側に向けて折曲され、上部ガイドレールの折曲部は立直部の下端が内側に向けて折曲されていることから、左右の上部ガイドレールの折曲部が、左右の下部ガイドレールの立直部を外側から囲むように構成されるが、下部ガイドレールの前端における下部ガイドレールの立直部の左右の外寸が、上部ガイドレールの後端における上部ガイドレールの折曲部の左右の内寸よりも小さいため、両ガイドレールの係合を容易に行える。ここで、下部ガイドレールの立直部の左右の外寸は該下部ガイドレールの後端に比べて前端の方が小さいため、下部ガイドレールの前端に上部ガイドレールの後端を近付けたときの両ガイドレールの水平方向の遊びは、結合位置での遊びに比べて大きい。したがって、上部筐体の後端を下部筐体の前端に近付けて上部ガイドレールの後端と下部ガイドレールの前端とを係合させる際に、上部ガイドレールと下部ガイドレールとの係合を容易に行うことができ、これによって上部筐体と下部筐体との結合作業の作業効率を向上することができる。
【００２６】
また、請求項４の発明によれば、下部ガイドレールの折曲部に対して上部ガイドレールの折曲部が下方から対峙し、かつ、下部ガイドレールの折曲部は立直部の上端が内側に向けて折曲され、上部ガイドレールの折曲部は立直部の下端が外側に向けて折曲されていることから、左右の下部ガイドレールの立直部が、左右の上部ガイドレールの折曲部を外側から囲むように構成されるが、下部ガイドレールの前端における下部ガイドレールの立直部の左右の内寸が、上部ガイドレールの後端における上部ガイドレールの折曲部の左右の外寸よりも大きいため、両ガイドレールの係合を容易に行える。ここで、下部ガイドレールの立直部の左右の内寸は該下部ガイドレールの後端に比べて前端の方が大きいため、下部ガイドレールの前端に上部ガイドレールの後端を近付けたときの両ガイドレールの水平方向の遊びは、結合位置での遊びに比べて大きい。したがって、上部筐体の後端を下部筐体の前端に近付けて上部ガイドレールの後端と下部ガイドレールの前端とを係合させる際に、上部ガイドレールと下部ガイドレールとの係合を容易に行うことができ、これによって上部筐体と下部筐体との結合作業の作業効率を向上することができる。
【００２７】
また、請求項５の発明によれば、上部ガイドレールの折曲部の水平方向の幅寸法が、後端に比し前端が大きく形成され、かつ、下部ガイドレールの立直部の水平方向の厚さ寸法が、後端に比し前端が小さく形成されているため、上部筐体の後端を下部筐体の前端に近付けて上部ガイドレールの後端と下部ガイドレールの前端とを係合させる際に、上部ガイドレールの折曲部と下部ガイドレールの立直部との間の水平方向の遊びが、結合位置に比べて大きくなることから、結合位置での遊びを小さくして結合状態でのがたつきを低減したままで、上部ガイドレールと下部ガイドレールとの係合を容易に行うことができ、これによって上部筐体と下部筐体との結合作業の作業効率を向上することができる。また、幅寸法および厚さ寸法の大きい部分をそれぞれ有することにより、各ガイドレールの強度が向上するという利点がある。
【００２８】
また、請求項６の発明によれば、結合位置において、上部ガイドレールの折曲部と下部ガイドレールの立直部との間の水平方向の遊びが、両ガイドレールの前端から後端に亘ってほぼ均一であるため、結合状態での不規則ながたつきを防止するとともに、結合位置の位置決め精度を向上することができる。
【００２９】
また、請求項７の発明によれば、下部ガイドレールの折曲部に対して上部ガイドレールの折曲部が下方から対峙するため、下部ガイドレールの折曲部の下面と下部筐体の上面との第１隙間に上部ガイドレールの折曲部が、上部ガイドレールの折曲部の上面と上部筐体の下面との第２隙間に下部ガイドレールの折曲部が、それぞれ互いに入り込むように構成される。また、第１隙間の寸法は下部ガイドレールの後端に比べて前端の方が大きく、第２隙間の寸法は上部ガイドレールの前端に比べて後端の方が大きいため、下部ガイドレールの前端に上部ガイドレールの後端を近付けたときの両ガイドレールの鉛直方向の遊びは、結合位置での遊びに比べて大きい。したがって、上部筐体の後端を下部筐体の前端に近付けて上部ガイドレールの後端と下部ガイドレールの前端とを係合させる際に、上部ガイドレールと下部ガイドレールとの係合を容易に行うことができ、これによって上部筐体と下部筐体との結合作業の作業効率を向上することができる。
【００３０】
また、請求項８の発明によれば、上部ガイドレールの折曲部の鉛直方向の厚さ寸法が、後端に比し前端が大きく形成され、かつ、下部ガイドレールの折曲部の鉛直方向の厚さ寸法が、後端に比し前端が小さく形成されているため、上部筐体の後端を下部筐体の前端に近付けて上部ガイドレールの後端と下部ガイドレールの前端とを係合させる際に、上部ガイドレールの折曲部と下部ガイドレールの折曲部との間の鉛直方向の遊びが、結合位置に比べて大きくなることから、結合位置での遊びを小さくして結合状態でのがたつきを低減したままで、上部ガイドレールと下部ガイドレールとの係合を容易に行うことができ、これによって上部筐体と下部筐体との結合作業の作業効率を向上することができる。また、厚さ寸法の大きい部分をそれぞれ有することにより、各ガイドレールの強度が向上するという利点がある。
【００３１】
また、請求項９の発明によれば、結合位置において、上部ガイドレールの折曲部と下部ガイドレールの折曲部との間の鉛直方向の遊びが、両ガイドレールの前端から後端に亘ってほぼ均一であるため、結合状態での不規則ながたつきを防止するとともに、結合位置の位置決め精度を向上することができる。
【００３２】
また、請求項１０の発明によれば、スライド機構により支持された上部筐体の、下部筐体に対する後方へのスライドの際、上部筐体の結合位置への到達時に、上部筐体の下面に設けられた係止部が下部筐体の上面に設けられた被係止部と係止することで上部筐体がロックされるため、上部筐体の下部筐体に対するスライド動作に引き続いてロック機構のロック動作を連続的に行うことができ、これによって、上部筐体と下部筐体との結合作業を容易に行うことができ、作業効率を向上することができる。
【００３３】
また、請求項１１の発明によれば、スライド機構により支持された上部筐体の下部筐体に対する後方へのスライド時に、フックの傾斜面が被係止部の上部前端を摺接することにより作動体の後端が付勢部材の付勢力に抗して下動する向きに作動体が回動し、フックの鉛直面が被係止部の上部後端に到達すると、付勢部材の付勢力により作動体が回動前の状態に復帰することで、フックの鉛直面が被係止部の上部後端に当接するとともにスライド規制部が被係止部の上部前端に当接するため、上部筐体を下部筐体に対して後方へスライドさせるだけで係止部を被係止部と係止させることができ、これによって、簡易な構成で上部筐体と下部筐体との結合作業を容易に行うことができ、作業効率を向上することができる。
【００３４】
また、請求項１２の発明によれば、上部筐体の操作空間内の把持可能な位置に前後方向に移動自在にレバーが配設され、そのレバーが把持に伴い前方に移動し、その移動により係止部の被係止部との係止が解除されるため、そのまま上部筐体が下部筐体に対して前方にスライド可能となることから、上部筐体の分離作業を容易に行うことができ、作業効率を向上することができる。
【００３５】
また、請求項１３の発明によれば、レバーが把持に伴い前方に移動し、リンク機構が作動体に当接すると、作動体の後端が付勢部材の付勢力に抗して下動する向きに作動体が回動することで、フックの鉛直面が被係止部の上部後端との当接状態から解放されて、係止部の被係止部との係止が解除されるため、簡易な構成で上部筐体と下部筐体との分離作業を容易に行うことができ、作業効率を向上することができる。
【００３６】
また、請求項１４の発明によれば、把持されたレバーの前方への移動により連結体を介して連結された作動軸が付勢体の付勢力に抗して前方に移動し、この作動軸の前方への移動により可動枠体の当接部が上動する向きに可動枠体が回動し、可動枠体の当接部が作動体の前端部下面に当接して該前端部を持ち上げることで、作動体の後端が付勢部材の付勢力に抗して下動する向きに作動体が回動するため、フックの鉛直面が被係止部の上部後端との当接状態から解放されることとなり、簡素な構成で係止部の被係止部との係止を確実に解除することができる。
【００３７】
また、請求項１５の発明によれば、上部筐体の下部筐体との結合状態で操作空間が閉塞部材により閉塞されるため、操作空間を介して外部から異物を挿入するなどの不正行為を未然に防止することができる。
【００３８】
また、請求項１６の発明によれば、ロック機構および解除機構がそれぞれ左右２箇所に設けられているため、上部筐体を確実にロックすることができる。
【００３９】
また、請求項１７の発明によれば、ロック機構、解除機構および操作空間がそれぞれ左右２箇所に設けられているため、上部筐体と下部筐体との分離作業を両手で容易に行うことができる。
【発明を実施するための最良の形態】
【００４０】
図１は本発明にかかる分離型スロットマシンの一実施形態の外観を示す斜視図、図２はベットスイッチを示す斜視図、図３は下パネル部が取り外された分離型スロットマシンの斜視図である。また、図４は下パネル部を取り外して上部筐体を下部筐体から分離した状態を示す右側面図である。
【００４１】
この実施形態における分離型スロットマシン１は、例えば図１ないし図４に示すように構成されている。即ち、この分離型スロットマシン１では、下部筐体３Ｄが上部筐体３Ｕに対して分離可能に構成されている。下部筐体３Ｄは、下部収納箱５Ｄと、その下部収納箱５Ｄの前面開口を開閉自在に閉塞する下部扉７Ｄとからなる。また、上部筐体３Ｕは、上部収納箱５Ｕと、その上部収納箱５Ｕの前面開口を開閉自在に閉塞する上部扉７Ｕとからなる。また、下部扉７Ｄから上部扉７Ｕに亘って、下パネル部９が着脱自在に配設されている。そして、図４に示すように、下パネル部９を取り外すと、上部収納箱５Ｕに上部扉７Ｕが取り付けられた状態の上部筐体３Ｕを、下部収納箱５Ｄに下部扉７Ｄが取り付けられた状態の下部筐体３Ｄから分離可能に構成されている。
【００４２】
下部収納箱５Ｄは、電源ユニット１１と、遊技者にメダルを払い出すためのホッパーユニット１３とを内部に備えている。また、上部収納箱５Ｕは、左・中・右回転リール１５Ｌ，１５Ｍ，１５Ｒが配設されたリールユニット１５と、各部の動作を制御するＣＰＵが実装された制御基板が配設された基板ユニット１７とを内部に備えている。また、上部扉７Ｕは、その下端に、遊技者が操作するスイッチ群が配設された操作ユニット１９を備え、この操作ユニット１９の上方には、正面板２１が配設されている。
【００４３】
この操作ユニット１９には、内部に貯留されているクレジットメダルからのメダル投入を指示するためのベットスイッチ２３、各回転リールの回転を開始させるためのレバー状のスタートスイッチ２５、左・中・右回転リール１５Ｌ，１５Ｍ，１５Ｒの回転をそれぞれ停止させるための左・中・右ストップスイッチ２７Ｌ，２７Ｍ，２７Ｒを備えたスイッチユニット２７、クレジットメダルを払い出すための精算スイッチ２９、およびメダル投入口３１が設けられている。ベットスイッチ２３は、図２に示すように、共通のスイッチケース２３ａの内部に、ほぼ円筒形状の押ボタン２３ｂと、この押ボタン２３ｂを囲む平面視ほぼドーナツ形状の押ボタン２３ｃとが配設されて構成され、押ボタン２３ｂを押し込むと内部に貯留されているクレジットメダルから１枚ずつのメダル投入が指示され、押ボタン２３ｃを押し込むとクレジットメダルから１遊技あたりの最大投入枚数（例えば３枚）のメダル投入が指示されるようになっている。押ボタン２３ｃの表面が押ボタン２３ｂの表面より突出するように構成されており、これにより、押ボタン２３ｃが押ボタン２３ｂを囲む形状と相俟って、いわゆる１枚賭けの押ボタン２３ｂより最大枚数賭けの押ボタン２３ｃの方が操作し易いようになっている。
【００４４】
また、操作ユニット１９の上方の正面板２１には横長矩形の表示窓３３が設けられ、この表示窓３３からは、回転リール１５Ｌ，１５Ｍ，１５Ｒの図柄が上段・中段・下段の各々３個ずつ覗くように設定されている。また、表示窓３３の上方のほぼ中央には、動画などを表示して演出を行うための横長矩形の液晶表示器３５が設けられ、この液晶表示器３５の左右には、音楽などによる演出を行うためのスピーカ３７Ｌ，３７Ｒがそれぞれ設けられている。また、上部扉７Ｕの上辺には中央ランプ部３９Ｍが配設され、上部扉７Ｕの左右辺にはそれぞれ左・右ランプ部３９Ｌ，３９Ｒが配設されている。各ランプ部３９Ｍ，３９Ｌ，３９Ｒには、それぞれ発光ダイオードなどの光源が配設されており、遊技者に当選や入賞を告知するなどの演出が行われる。
【００４５】
また、下部扉７Ｄの下半部には、メダルの払出口４１や、この払出口４１から払い出されるメダルを受けるメダル受け４３が設けられており、下部扉７Ｄの上半部の正面板４５には、下パネル部９が備える装飾用パネル９ａを内側から照明するための冷陰極管４５Ｕ，４５Ｄが配設されている。
【００４６】
また、図３に示すように、上部扉７Ｕの前下部（すなわち操作ユニット１９の下端部）の左右端部がほぼ矩形に切り欠かれて操作空間５１Ｌ，５１Ｒが設けられており、この操作空間５１Ｌ，５１Ｒの内部には、それぞれレバー５３Ｌ，５３Ｒが配設されている。このレバー５３Ｌ，５３Ｒについては後述する。
【００４７】
この分離型スロットマシン１は、下部筐体３Ｄに対して上部筐体３Ｕを前後方向にスライド可能に支持するスライド機構と、下部筐体３Ｄに対してスライドする上部筐体３Ｕを所定の結合位置でロックするロック機構と、このロック機構のロックを解除する解除機構とを備え、上部筐体３Ｕが、下部筐体３Ｄに対し前方へスライドして下部筐体３Ｄから分離され、かつ、後方へスライドして下部筐体３Ｄに結合されるようになっている。以下、これらの各機構について順に説明する。
【００４８】
まず、スライド機構について説明する。図５は下部筐体３Ｄの斜視図、図６は上部筐体３Ｕと下部筐体３Ｄとの結合状態におけるスライド機構の正面図である。また、図７は図６のＡ−Ａ線断面図、図８は図６のＢ−Ｂ線断面図である。なお、図８におけるかっこ書きの符号は図６のＣ−Ｃ線断面を示している。また、図９、図１０はそれぞれ図７、図８における結合前の状態を示す図であり、各図中、矢印Ｘは結合作業において後方に向けて移動する上部筐体３Ｕの移動方向を示している。
【００４９】
このスライド機構５９は、下部収納箱５Ｄの上面の左右端部にそれぞれ設けられた前後方向に延びる一対の下部ガイドレール６１Ｌ，６１Ｒと、上部収納箱５Ｕの下面の左右端部にそれぞれ設けられた前後方向に延びる一対の上部ガイドレール７１Ｌ，７１Ｒとを備えている。下部ガイドレール６１Ｌ，６１Ｒは、下部収納箱５Ｄの上面の左右端部にそれぞれ立設された立直部６３Ｌ，６３Ｒと、該立直部６３Ｌ，６３Ｒの上端が外向きに折曲された折曲部６５Ｌ，６５Ｒとを有し、断面Ｌ字状に形成されている。また、上部ガイドレール７１Ｌ，７１Ｒは、上部収納箱５Ｕの下面の左右端部であって下部ガイドレール６１Ｌ，６１Ｒにそれぞれ対応する位置に立設された立直部７３Ｌ，７３Ｒと、該立直部７３Ｌ，７３Ｒの下端が内向きに折曲された折曲部７５Ｌ，７５Ｒとを有し、断面Ｌ字状に形成されている。そして、例えば図６に示すように、下部ガイドレール６１Ｌの折曲部６５Ｌに対して上部ガイドレール７１Ｌの折曲部７５Ｌが、下部ガイドレール６１Ｒの折曲部６５Ｒに対して上部ガイドレール７１Ｒの折曲部７５Ｒが、それぞれ下方から対峙するように、上部ガイドレール７１Ｌ，７１Ｒが下部ガイドレール６１Ｌ，６１Ｒにそれぞれスライド自在に遊びを持って係合している。このスライド機構５９によって、上部収納箱５Ｕが下部収納箱５Ｄに対して前後方向にスライド可能に支持されている。
【００５０】
図７に示すように、下部ガイドレール６１Ｌ，６１Ｒの立直部６３Ｌ，６３Ｒの水平方向の幅寸法は、それぞれ、後端（図７中、上端）に比し前端（図７中、下端）が小さく形成されている。すなわち、下部ガイドレール６１Ｌの立直部６３Ｌは、水平方向の幅寸法が長い後端部６３Ｌａと、後端部６３Ｌａに比べて短い前端部６３Ｌｂと、後端部６３Ｌａから前端部６３Ｌｂにかけて直線的に減少する中間部６３Ｌｃとを有している。また、下部ガイドレール６１Ｒの立直部６３Ｒは、水平方向の幅寸法が長い後端部６３Ｒａと、後端部６３Ｒａに比べて短い前端部６３Ｒｂと、後端部６３Ｒａから前端部６３Ｒｂにかけて直線的に減少する中間部６３Ｒｃとを有している。そして、図９に示すように、下部ガイドレール６１Ｌ，６１Ｒの前端における立直部６３Ｌ，６３Ｒの左右の外寸（図９中、前端部６３Ｌｂの左端から前端部６３Ｒｂの右端までの寸法）はＤ１で、下部ガイドレール６１Ｌ，６１Ｒの後端における立直部６３Ｌ，６３Ｒの左右の外寸（図９中、後端部６３Ｌａの左端から後端部６３Ｒａの右端までの寸法）はＤ２（＞Ｄ１）である。
【００５１】
また、図７に示すように、上部ガイドレール７１Ｌ，７１Ｒの折曲部７５Ｌ，７５Ｒの水平方向の幅寸法は、それぞれ、後端（図７中、上端）に比し前端（図７中、下端）が大きく形成されている。すなわち、上部ガイドレール７１Ｌの折曲部７５Ｌは、水平方向の幅寸法が短い後端部７５Ｌａと、後端部７５Ｌａに比べて長い前端部７５Ｌｂと、後端部７５Ｌａから前端部７５Ｌｂにかけて直線的に増大する中間部７５Ｌｃとを有している。また、上部ガイドレール７１Ｒの折曲部７５Ｒは、水平方向の幅寸法が短い後端部７５Ｒａと、後端部７５Ｒａに比べて長い前端部７５Ｒｂと、後端部７５Ｒａから前端部７５Ｒｂにかけて直線的に増大する中間部７５Ｒｃとを有している。そして、図９に示すように、上部ガイドレール７１Ｌ，７１Ｒの前端における折曲部７５Ｌ，７５Ｒの左右の内寸（図９中、前端部７５Ｌｂの右端から前端部７５Ｒｂの左端までの寸法）はＤ３で、上部ガイドレール７１Ｌ，７１Ｒの後端における折曲部７５Ｌ，７５Ｒの左右の内寸（図９中、後端部７５Ｌａの右端から後端部７５Ｒａの左端までの寸法）はＤ４（＞Ｄ３）である。
【００５２】
また、下部ガイドレール６１Ｌの立直部６３Ｌの各部６３Ｌａ，６３Ｌｂ，６３Ｌｃの水平方向の厚さ寸法と、上部ガイドレール７１Ｌの折曲部７５Ｌの各部７５Ｌａ，７５Ｌｂ，７５Ｌｃの水平方向の幅寸法とは、結合位置において、立直部６３Ｌと折曲部７５Ｌとの間の遊び８１Ｌが前端から後端に亘ってほぼ均一になるように設定されている。同様に、下部ガイドレール６１Ｒの立直部６３Ｒの各部６３Ｒａ，６３Ｒｂ，６３Ｒｃの水平方向の厚さ寸法と、上部ガイドレール７１Ｒの折曲部７５Ｒの各部７５Ｒａ，７５Ｒｂ，７５Ｒｃの水平方向の幅寸法とは、結合位置において、立直部６３Ｒと折曲部７５Ｒとの間の遊び８１Ｒが前端から後端に亘ってほぼ均一になるように設定されている。この遊び８１Ｌ，８１Ｒの寸法は、図７に示すように、結合位置において上部筐体３Ｕと下部筐体３Ｄとの左右方向の中心が一致しているときに、それぞれＬ１になっている。すなわち、各部の寸法の関係は、
Ｄ４＝Ｄ２＋２・Ｌ１
および
Ｄ３＝Ｄ１＋２・Ｌ１
になっている。
【００５３】
また、図８に示すように、下部ガイドレール６１Ｌの折曲部６５Ｌの鉛直方向の厚さ寸法は、後端（図８中、右端）に比し前端（図８中、左端）が小さく形成されている。すなわち、下部ガイドレール６１Ｌの折曲部６５Ｌは、鉛直方向の厚さ寸法が長い後端部６５Ｌａと、後端部６５Ｌａに比べて短い前端部６５Ｌｂと、後端部６５Ｌａから前端部６５Ｌｂにかけて直線的に減少する中間部６５Ｌｃとを有している。また、図８のかっこ書きに示すように、下部ガイドレール６１Ｒの折曲部６５Ｒの鉛直方向の厚さ寸法は、下部ガイドレール６１Ｌの折曲部６５Ｌと同様に設定されている。すなわち、下部ガイドレール６１Ｒの折曲部６５Ｒの後端部６５Ｒａは折曲部６５Ｌの後端部６５Ｌａと同一寸法で、前端部６５Ｒｂは前端部６５Ｌａと同一寸法で、中間部６５Ｒｃは中間部６５Ｌｃと同一の傾斜で、それぞれ形成されている。そして、図１０に示すように、下部ガイドレール６１Ｌ，６１Ｒの折曲部６５Ｌ，６５Ｒの下面と下部収納箱５Ｄの上面との第１隙間の前端における寸法（図１０中、前端部６５Ｌｂ，６５Ｒｂの下面から下部収納箱５Ｄの上面までの寸法）はＤ５で、上記第１隙間の後端における寸法（図１０中、後端部６５Ｌａ，６５Ｒａの下面から下部収納箱５Ｄの上面までの寸法）はＤ６（＜Ｄ５）である。また、下部ガイドレール６１Ｌ，６１Ｒの前端における折曲部６５Ｌ，６５Ｒの鉛直方向の厚さ寸法（図１０中、前端部６５Ｌｂ，６５Ｒｂの厚さ寸法）はＤ９で、下部ガイドレール６１Ｌ，６１Ｒの後端における折曲部６５Ｌ，６５Ｒの鉛直方向の厚さ寸法（図１０中、後端部６５Ｌａ，６５Ｒａの厚さ寸法）はＤ１０（＞Ｄ９）である。
【００５４】
また、図８に示すように、上部ガイドレール７１Ｌの折曲部７５Ｌは、その鉛直方向の厚さ寸法が後端（図８中、右端）に比し前端（図８中、左端）が大きく形成されている。すなわち、上部ガイドレール７１Ｌの折曲部７５Ｌでは、鉛直方向の厚さ寸法が、後端部７５Ｌａは短く、前端部７５Ｌｂは後端部７５Ｌａに比べて長く、中間部７５Ｌｃは後端部７５Ｌａから前端部７５Ｌｂにかけて直線的に増大している。また、図８のかっこ書きに示すように、上部ガイドレール７１Ｒの折曲部７５Ｒの鉛直方向の厚さ寸法は、上部ガイドレール７１Ｌの折曲部７５Ｌと同様に設定されている。すなわち、上部ガイドレール７１Ｒの折曲部７５Ｒの後端部７５Ｒａは折曲部７５Ｌの後端部７５Ｌａと同一寸法で、前端部７５Ｒｂは前端部７５Ｌａと同一寸法で、中間部７５Ｒｃは中間部７５Ｌｃと同一の傾斜で、それぞれ形成されている。そして、図１０に示すように、上部ガイドレール７１Ｌ，７１Ｒの前端における折曲部７５Ｌ，７５Ｒの鉛直方向の厚さ寸法（図１０中、前端部７５Ｌｂ，７５Ｒｂの厚さ寸法）はＤ７で、上部ガイドレール７１Ｌ，７１Ｒの後端における折曲部７５Ｌ，７５Ｒの鉛直方向の厚さ寸法（図１０中、後端部７５Ｌａ，７５Ｒａの厚さ寸法）はＤ８（＜Ｄ７）である。また、上部ガイドレール７１Ｌ，７１Ｒの折曲部７５Ｌ，７５Ｒの上面と上部収納箱５Ｕの下面との第２隙間の前端における寸法（図１０中、前端部７５Ｌｂ，７５Ｒｂの上面から上部収納箱５Ｕの下面までの寸法）はＤ１１で、上記第２隙間の後端における寸法（図１０中、後端部７５Ｌａ，７５Ｒａの上面から上部収納箱５Ｕの下面までの寸法）はＤ１２（＞Ｄ１１）である。
【００５５】
また、図８に示すように、下部ガイドレール６１Ｌの折曲部６５Ｌの各部６５Ｌａ，６５Ｌｂ，６５Ｌｃの鉛直方向の厚さ寸法と、上部ガイドレール７１Ｌの折曲部７５Ｌの各部７５Ｌａ，７５Ｌｂ，７５Ｌｃの鉛直方向の厚さ寸法とは、結合位置において、折曲部６５Ｌと折曲部７５Ｌとの間の鉛直方向の遊び８３Ｌが前端から後端に亘ってほぼ均一な寸法Ｌ２になるように設定されている。同様に、下部ガイドレール６１Ｒの折曲部６５Ｒの各部６５Ｒａ，６５Ｒｂ，６５Ｒｃの鉛直方向の厚さ寸法と、上部ガイドレール７１Ｒの折曲部７５Ｒの各部７５Ｒａ，７５Ｒｂ，７５Ｒｃの鉛直方向の厚さ寸法とは、結合位置において、立直部６３Ｒと折曲部７５Ｒとの間の鉛直方向の遊び８３Ｒが前端から後端に亘ってほぼ均一な寸法Ｌ２になるように設定されている。すなわち、各部の寸法の関係は、
Ｄ５＝Ｄ７＋Ｌ２
および
Ｄ６＝Ｄ８＋Ｌ２
になっている。
【００５６】
このような構成において、上部筐体３Ｕと下部筐体３Ｄとを結合させるべく下部ガイドレール６１Ｌ，６１Ｒと上部ガイドレール７１Ｌ，７１Ｒとを互いに係合させるときの動作について説明する。両ガイドレール６１Ｌ，６１Ｒ，７１Ｌ，７１Ｒを互いに係合させるために、上部収納箱５Ｕを把持し、下部収納箱５Ｄの前端に向けて上部収納箱５Ｕの後端を近づけたとき、図９に示すように、下部ガイドレール６１Ｌの立直部６３Ｌの前端部６３Ｌｂと上部ガイドレール７１Ｌの折曲部７５Ｌの後端部７５Ｌａとの間の水平方向の遊び８１Ｌの寸法はＬ３であり、下部ガイドレール６１Ｒの立直部６３Ｒの前端部６３Ｒｂと上部ガイドレール７１Ｒの折曲部７５Ｒの後端部７５Ｒａとの間の水平方向の遊び８１Ｒの寸法はＬ３である。この寸法Ｌ３はＬ３＞Ｌ１になっている。図９は下部収納箱５Ｄの左右方向の中心に対して上部収納箱５Ｕの左右方向の中心が一致している場合を示しており、下部収納箱５Ｄの左右方向の中心に対して上部収納箱５Ｕの左右方向の中心が左右にずれると、水平方向の遊び８１Ｒ，８１Ｌの寸法がＬ３から増減し、Ｌ３＜０になると両ガイドレールが衝突する。しかしながら、Ｌ３≧０の範囲まで左右方向にずれても、下部ガイドレール６１Ｌ，６１Ｒと上部ガイドレール７１Ｌ，７１Ｒとを互いに係合させることができる。
【００５７】
また、図１０に示すように、下部ガイドレール６１Ｌの折曲部６５Ｌの前端部６５Ｌｂと上部ガイドレール７１Ｌの折曲部７５Ｌの後端部７５Ｌａとの間の鉛直方向の遊び８３Ｌの寸法はＬ４であり、下部ガイドレール６１Ｒの折曲部６５Ｒの前端部６５Ｒｂと上部ガイドレール７１Ｒの折曲部７５Ｒの後端部７５Ｒａとの間の鉛直方向の遊び８３Ｒの寸法はＬ４である。この寸法Ｌ４はＬ４＞Ｌ２になっている。図１０は下部収納箱５Ｄの上面に上部ガイドレール７１Ｌ，７１Ｒの下面が一致している場合を示しており、下部収納箱５Ｄに対して上部収納箱５Ｕが鉛直方向にずれると、鉛直方向の遊び８３Ｒ，８３Ｌの寸法がＬ４から増減する。そして、鉛直方向の遊び８３Ｒ，８３Ｌの寸法がＬ４を超えると上部ガイドレール７１Ｌ，７１Ｒの下面が下部収納箱５Ｄの上面に衝突し、Ｌ４＜０になると両ガイドレールが衝突する。しかしながら、Ｌ４≧０の範囲まで上部筐体３Ｕが上方にずれても、下部ガイドレール６１Ｌ，６１Ｒと上部ガイドレール７１Ｌ，７１Ｒとを互いに係合させることができる。
【００５８】
このように、下部ガイドレール６１Ｌ，６１Ｒと上部ガイドレール７１Ｌ，７１Ｒとを互いに係合させるときに、上部収納箱５Ｕが左右方向および上方に多少ずれても構わないため、両ガイドレールを容易に係合させることができ、上部筐体３Ｕと下部筐体３Ｄとの結合作業を容易に行うことができ、作業効率を向上することができる。
【００５９】
次に、ロック機構および解除機構について説明する。図１１は分離型スロットマシンの正面図、図１２は分離型スロットマシンの右側面図で、それぞれ一部を破断してロック機構および解除機構を示している。また、図１３はロック機構の被係止部の斜視図、図１４の（Ａ）〜（Ｅ）はそれぞれ互いに異なる方向から見たロック機構の係止部の斜視図、図１５はロック機構の係止部の右側面図である。また、図１６の（Ａ）〜（Ｄ）はそれぞれ互いに異なる方向から見た解除機構の斜視図、図１７は解除機構の右側面図である。また、図１８はロック機構および解除機構の動作を説明する右側面図で、（Ａ）は上部筐体３Ｕが下部筐体３Ｄに対して後方にスライド可能な状態、すなわち上部筐体３Ｕがスライド機構５９により支持された状態を示し、（Ｂ）はロック機構により上部筐体３Ｕが結合位置でロックされた状態を示し、（Ｃ）は解除機構によりロック機構のロックが解除された状態を示している。
【００６０】
ロック機構は、下部収納箱５Ｄに設けられた一対の被係止部８５Ｌ，８５Ｒと、上部収納箱５Ｕに設けられた一対の係止部８７Ｌ，８７Ｒとを備えている。被係止部８５Ｌ，８５Ｒは、例えば図５に示すように、下部収納箱５Ｄの上面の左右適所にそれぞれ固定されている。係止部８７Ｌ，８７Ｒは、上部収納箱５Ｕの下面の被係止部８５Ｌ，８５Ｒに対応する位置にそれぞれ固定されている。また、解除機構８９Ｌ，８９Ｒは、上部収納箱５Ｕの下面であって係止部８７Ｌ，８７Ｒの前方にそれぞれ固定されている。なお、図１３〜図１７では、それぞれ左側の被係止部８５Ｌ、係止部８７Ｌおよび解除機構８９Ｌを示している。右側の被係止部８５Ｒ、係止部８７Ｒ、解除機構８９Ｒは、それぞれ左側の被係止部８５Ｌ、係止部８７Ｌ、解除機構８９Ｌと左右対称に形成されている点のみ異なるため、詳細な図示を省略する。
【００６１】
被係止部８５Ｌは、正面視で下が開放したコ字状に形成され、ほぼ矩形の上板部８５ａを有している。また、係止部８７Ｌは、前後方向に延びる作動体９１と、上部収納箱５Ｕの下面に固定され、作動体９１を支持する支持体９３とを備えている。作動体９１は、正面視で上が開放したコ字状に形成され、ほぼ矩形の下板部９１ａを有している。また、支持体９３は、正面視で上が開放した作動体９１より幅広のコ字状に形成され、ほぼ矩形の下板部９３ａを有しており、その内側で作動体９１を支持している。そして、作動体９１のほぼ中央を左右方向に貫通する支軸９５の両端が支持体９３の左右側壁に嵌挿されており、これによって支持体９３は作動体９１を支軸９５周りに回動可能に支持している。支軸９５の周りにはばね９７が巻かれている。このばね９７の一端は、支持体９３の支軸９５より前方であって作動体９１の上方に設けられた当接棒９４に当接し、その他端は、作動体９１の下板部９１ａの上面であって当接棒９４に対向する位置に当接しており、これによって、ばね９７は、支軸９５を中心として作動体９１を図１５中、反時計回りに回動する向きの付勢力を与えている。すなわち、ばね９７は作動体９１の後端（図１５中、右端）を上方に付勢している。
【００６２】
作動体９１の後端には、前方に向かって上向きの傾斜面９１ｂが形成され、その傾斜面９１ｂの前端には、下向きの鉛直面９１ｃが形成されており、この傾斜面９１ｂおよび鉛直面９１ｃによりフック９１ｄが構成されている。また、支持体９３には、その下板部９３ａの前端部９３ｂが上方に折り曲げられて作動体規制部９３ｃが形成されている。作動体９１の下板部９１ａの下面の支軸９５より前方側の位置が作動体規制部９３ｃに当接することで、ばね９７の付勢力による作動体９１の回動が規制されている。また、支持体９３の上部後端でフック９１ｄの鉛直面９１ｃより所定寸法だけ前方に鉛直面９３ｄが形成されている。
【００６３】
解除機構８９Ｌは、上記レバー５３Ｌと、レバー５３Ｌの後方に配設された左右方向に延びる作動軸９９と、その両端部がそれぞれレバー５３Ｌと作動軸９９とに固定されて両者を連結する連結体１０１と、作動軸９９を支持する可動枠体１０３と、上部収納箱５Ｕの前下部の内側に固定され可動枠体１０３を支持する固定枠体１０５とを備えている。可動枠体１０３は、正面視で下が開放したほぼコ字状に形成され、左右の側壁１０３ａ，１０３ａと上壁１０３ｂとを有している。固定枠体１０５は、平面視で前が開放した可動枠体１０３より幅広のほぼコ字状に形成され、左右の側壁１０５ａ，１０５ａと後壁１０５ｂとを有し、その内側に可動枠体１０３が配設されている。そして、可動枠体１０３のほぼ中央を左右方向に貫通する支持軸１０７の両端が固定枠体１０５の側壁１０５ａ，１０５ａに嵌挿しており、これによって、固定枠体１０５は可動枠体１０３を支持軸１０７周りに回動可能に支持している。
【００６４】
可動枠体１０３の左右の側壁１０３ａ，１０３ａの支持軸１０７より上端（一端）側に一対の透孔１０３ｃ，１０３ｃが透設され、この透孔１０３ｃ，１０３ｃに作動軸９９の両端がそれぞれ嵌挿しており、これによって可動枠体１０３は作動軸９９を回動自在に支持している。また、可動枠体１０３の支持軸１０７より下端（他端）側には、一方の側壁１０３ａの先端が折り曲げられて平板状の当接部１０３ｄが形成されている。
【００６５】
支持軸１０７の周りにはばね１０９が巻かれている。このばね１０９は、その両端１０９ａ，１０９ａが可動枠体１０３の前下端にそれぞれ係止し、その両端１０９ａ，１０９ａから延びて所要の巻数だけ支持軸１０７に巻かれ、その中央部１０９ｂが固定枠体１０５の後壁１０５ｂの下端に係止している。これによって、ばね１０９は支持軸１０７を中心として可動枠体１０３を図１７中、時計回りに付勢している。すなわち、ばね１０９は可動枠体１０３の当接部１０３ｄが下方に移動する向きに、また作動軸９９が後方に移動する向きに、可動枠体１０３を付勢している。
【００６６】
また、固定枠体１０５の左右の側壁１０５ａ，１０５ａには、それぞれ前端からほぼ長円形状に切り欠かれた凹部１０５ｃ，１０５ｃが形成され、この凹部１０５ｃ，１０５ｃに作動軸９９の両端がそれぞれ係合している。この凹部１０５ｃ，１０５ｃによって、ばね１０９の付勢力による可動枠体１０３の回動が規制されるとともに、作動軸９９が前方に移動可能になっている。このように、この実施形態では、ばね９７が本発明の「付勢部材」に相当し、ばね１０９が本発明の「付勢体」に相当し、凹部１０５ｃが本発明の「可動枠体規制部」に相当する。また、作動軸９９、連結体１０１、可動枠体１０３、固定枠体１０５、凹部１０５ｃ、ばね１０９が本発明の「リンク機構」を構成する。
【００６７】
次に、ロック機構および解除機構の動作について説明する。スライド機構５９の下部ガイドレール６１Ｌ，６１Ｒと上部ガイドレール７１Ｌ，７１Ｒとが互いに係合して上部筐体３Ｕが下部筐体３Ｄに対して前後方向にスライド可能に支持された状態が図１８（Ａ）に示されている。この状態において、ロック機構の係止部８７Ｌでは、ばね９７（例えば図１５）の付勢力による作動体９１の図１８（Ａ）中、反時計回り方向の回動が作動体規制部９３ｃにより規制されて、作動体９１がほぼ水平に保持されている。また、解除機構８９Ｌでは、ばね１０９（例えば図１７）の付勢力による可動枠体１０３の時計回り方向の回動が凹部１０５ｃにより規制されており、これによって可動枠体１０３の当接部１０３ｄが作動体９１の前端部９１ｅの下方に離間して配置されるように、可動枠体１０３が保持されている。
【００６８】
そして、スライド機構５９により支持された上部筐体３Ｕが下部筐体３Ｄに対して後方にスライドされると作動体９１が被係止部８５Ｌの上板部８５ａの前端に当接し、さらに上部筐体３Ｕが下部筐体３Ｄに対して後方にスライドされると、フック９１ｄの傾斜面９１ｂが被係止部８５Ｌの上板部８５ａの前端を摺接し、これによって、ばね９７の付勢力に抗して作動体９１が図１８（Ａ）中、時計回りに回動する。すなわちフック９１ｄ（作動体９１の後端）が下向きに移動する。さらに、上部筐体３Ｕが下部筐体３Ｄに対して後方にスライドされると、フック９１ｄが被係止部８５Ｌの上板部８５ａの下面に摺接しつつ後方に移動する。そして、フック９１ｄの鉛直面９１ｃが被係止部８５Ｌの上板部８５ａの後端に到達すると、ばね９７の付勢力により作動体９１が回動前の状態に復帰することで、図１８（Ｂ）に示すように、フック９１ｄの鉛直面９１ｃが被係止部８５Ｌの上板部８５ａの後端に当接する。この図１８（Ｂ）に示す位置からさらに後方への上部収納箱５Ｕのスライドは、被係止部８５Ｌの上板部８５ａの前端が支持体９３の鉛直面９３ｄ（本発明の「スライド規制部」に相当）に当接することで規制されている。このように、被係止部８５Ｌの上板部８５ａがフック９１ｄの鉛直面９１ｃと支持体９３の鉛直面９３ｄとで挟まれることにより、係止部８７Ｌが被係止部８５Ｌと係止され、これによって上部筐体３Ｕが図１８（Ｂ）に示す結合位置でロックされることとなる。
【００６９】
一方、例えば図３に示す上部筐体３Ｕが下部筐体３Ｄに結合された状態で、作業者が例えば両手の親指をそれぞれ操作ユニット１９の外周面に当て、両手の人差し指ないし小指をそれぞれ操作空間５１Ｌ，５１Ｒ内のレバー５３Ｌ，５３Ｒに引っ掛けて把持した状態で、レバー５３Ｌ，５３Ｒを前方に移動させると、図１８（Ｃ）に示すように、レバー５３Ｌ，５３Ｒの前方への移動に伴い作動軸９９が前方に移動して、ばね１０９（例えば図１７）の付勢力に抗して可動枠体１０３が図１８（Ｃ）中、反時計回りに回動する。すなわち、可動枠体１０３の当接部１０３ｄが上向きに移動する。そして、可動枠体１０３の当接部１０３ｄが作動体９１の前端部９１ｅの下面に当接し、該前端部９１ｅをばね９７の付勢力に抗して持ち上げることで作動体９１が図１８（Ｃ）中、時計回り方向に回動する。すなわち作動体９１の後端が下向きに移動する。これによって、作動体９１のフック９１ｄと被係止部８５Ｌの上板部８５ａの後端との係止が解除される。すなわち上部筐体３Ｕのロックが解除され、上部筐体３Ｕが下部筐体３Ｄに対して前方にスライド可能になる。したがって、この状態で作業者がレバー５３Ｌ，５３Ｒとともに上部筐体３Ｕを前方に引っ張ると、上部筐体３Ｕが前方にスライドし、上部筐体３Ｕと下部筐体３Ｄとの結合状態が解除されて分離された状態となる。
【００７０】
以上説明したように、この実施形態によれば、スライド機構５９により下部筐体３Ｄに対して前後方向にスライド可能に支持される上部筐体３Ｕが、後方へスライドされると結合位置で係止部８７Ｌ，８７Ｒが被係止部８５Ｌ，８５Ｒに係止されることでロックされて下部筐体３Ｄに結合される。また、解除機構８９Ｌ，８９Ｒによりロックが解除されると上部筐体３Ｕが下部筐体３Ｄに対して前方へスライド可能となり、そのまま上部筐体３Ｕを前方にスライドさせると下部筐体３Ｄから分離される。したがって、上部筐体３Ｕの後方へのスライドからロック機構によるロックに至る動作や、解除機構８９Ｌ，８９Ｒによるロック解除から上部筐体３Ｕの前方へのスライドに至る動作をそれぞれ連続的に行うことができ、これによって上部筐体３Ｕと下部筐体３Ｄとの結合作業や分離作業の作業効率を向上することができる。
【００７１】
また、この実施形態によれば、下部ガイドレール６１Ｌ，６１Ｒの折曲部６５Ｌ，６５Ｒに対して上部ガイドレール７１Ｌ，７１Ｒの折曲部７５Ｌ，７５Ｒが下方から対峙するように、上部ガイドレール７１Ｌ，７１Ｒがスライド自在に下部ガイドレール６１Ｌ，６１Ｒに遊びを持って係合するため、上部筐体３Ｕとともに下部筐体３Ｄを一体的に持ち上げることができる。したがって、運搬などの際には通常の一体型スロットマシンと同様に取り扱うことができ、これによって分離型スロットマシンとしての使い勝手を向上することができる。また、下部ガイドレール６１Ｌ，６１Ｒの折曲部６５Ｌ，６５Ｒに対して上部ガイドレール７１Ｌ，７１Ｒの折曲部７５Ｌ，７５Ｒが下方から対峙しているため、両ガイドレール６１Ｌ，６１Ｒ，７１Ｌ，７１Ｒの立直部６３Ｌ，６３Ｒ，７３Ｌ，７３Ｒにより上部筐体３Ｕと下部筐体３Ｄとの側面の境界を確実に閉塞することができ、これによって、上部筐体３Ｕと下部筐体３Ｄとの境界を通して異物を内部に挿入するなどの不正行為を未然に防止することができる。
【００７２】
また、この実施形態によれば、上部ガイドレール７１Ｌ，７１Ｒの折曲部７５Ｌ，７５Ｒの水平方向の幅寸法が、後端部７５Ｌａ，７５Ｒａに比べて前端部７５Ｌｂ，７５Ｒｂが大きく形成され、かつ、下部ガイドレール６１Ｌ，６１Ｒの立直部６３Ｌ，６３Ｒの水平方向の厚さ寸法が、後端部６３Ｌａ，６３Ｒａに比べて前端部６３Ｌｂ，６３Ｒｂが小さく形成されている。このため、上部筐体３Ｕの後端を下部筐体３Ｄの前端に近付けて上部ガイドレール７１Ｌ，７１Ｒの後端と下部ガイドレール６１Ｌ，６１Ｒの前端とを係合させる際に、上部ガイドレール７１Ｌ，７１Ｒの折曲部７５Ｌ，７５Ｒと下部ガイドレール６１Ｌ，６１Ｒの立直部６３Ｌ，６３Ｒとの間の水平方向の遊び８１Ｌ，８１Ｒが、結合位置に比べて大きくなることから、結合位置での遊びを小さくして結合状態でのがたつきを低減したままで、上部ガイドレール７１Ｌ，７１Ｒと下部ガイドレール６１Ｌ，６１Ｒとの係合を容易に行うことができ、これによって上部筐体３Ｕと下部筐体３Ｄとの結合作業の作業効率を向上することができる。また、結合位置において、上部ガイドレール７１Ｌ，７１Ｒの折曲部７５Ｌ，７５Ｒと下部ガイドレール６１Ｌ，６１Ｒの立直部６３Ｌ，６３Ｒとの間の水平方向の遊び８１Ｌ，８１Ｒが、両ガイドレール７１Ｌ，７１Ｒ，６１Ｌ，６１Ｒの前端から後端に亘ってほぼ均一であるため、結合状態での不規則ながたつきを防止するとともに、結合位置の位置決め精度を向上することができる。また、上部ガイドレール７１Ｌ，７１Ｒの折曲部７５Ｌ，７５Ｒが水平方向の幅寸法の大きい前端部７５Ｌｂ，７５Ｒｂを有し、下部ガイドレール６１Ｌ，６１Ｒの立直部６３Ｌ，６３Ｒが水平方向の厚さ寸法の大きい後端部６３Ｌａ，６３Ｒａを有しているため、両ガイドレール７１Ｌ，７１Ｒ，６１Ｌ，６１Ｒの強度として一定レベルの強度を確保できる。
【００７３】
また、この実施形態によれば、上部ガイドレール７１Ｌ，７１Ｒの折曲部７５Ｌ，７５Ｒの鉛直方向の厚さ寸法が、後端部７５Ｌａ，７５Ｒａに比べて前端部７５Ｌｂ，７５Ｒｂが大きく形成され、かつ、下部ガイドレール６１Ｌ，６１Ｒの折曲部６５Ｌ，６５Ｒの鉛直方向の厚さ寸法が、後端部６５Ｌａ，６５Ｒａに比べて前端部６５Ｌｂ，６５Ｒｂが小さく形成されている。このため、上部筐体３Ｕの後端を下部筐体３Ｄの前端に近付けて上部ガイドレール７１Ｌ，７１Ｒの後端と下部ガイドレール６１Ｌ，６１Ｒの前端とを係合させる際に、上部ガイドレール７１Ｌ，７１Ｒの折曲部７５Ｌ，７５Ｒと下部ガイドレール６１Ｌ，６１Ｒの折曲部６５Ｌ，６５Ｒとの間の鉛直方向の遊び８３Ｌ，８３Ｒが、結合位置に比べて大きくなることから、結合位置での遊びを小さくして結合状態でのがたつきを低減したままで、上部ガイドレール７１Ｌ，７１Ｒと下部ガイドレール６１Ｌ，６１Ｒとの係合を容易に行うことができ、これによって上部筐体３Ｕと下部筐体３Ｄとの結合作業の作業効率を向上することができる。また、結合位置において、上部ガイドレール７１Ｌ，７１Ｒの折曲部７５Ｌ，７５Ｒと下部ガイドレール６１Ｌ，６１Ｒの折曲部６５Ｌ，６５Ｒとの間の鉛直方向の遊び８３Ｌ，８３Ｒが、両ガイドレール７１Ｌ，７１Ｒ，６１Ｌ，６１Ｒの前端から後端に亘ってほぼ均一であるため、結合状態での不規則ながたつきを防止するとともに、結合位置の位置決め精度を向上することができる。また、上部ガイドレール７１Ｌ，７１Ｒの折曲部７５Ｌ，７５Ｒが鉛直方向の厚さ寸法の大きい前端部７５Ｌｂ，７５Ｒｂを有し、下部ガイドレール６１Ｌ，６１Ｒの折曲部６５Ｌ，６５Ｒが鉛直方向の厚さ寸法の大きい後端部６５Ｌａ，６５Ｒａを有しているため、両ガイドレール７１Ｌ，７１Ｒ，６１Ｌ，６１Ｒの強度として一定レベルの強度を確保できる。
【００７４】
また、この実施形態によれば、スライド機構５９により支持された上部筐体３Ｕを下部筐体３Ｄに対して後方にスライドさせると、フック９１ｄの傾斜面９１ｂが被係止部８５Ｌの上板部８５ａの前端を摺接することにより作動体９１の後端がばね９７の付勢力に抗して下方に移動する向きに作動体９１が回動する。そして、フック９１ｄの鉛直面９１ｃが被係止部８５Ｌ，８５Ｒの上板部８５ａの後端に到達すると、ばね９７の付勢力により作動体９１が回動前の状態に復帰することで、フック９１ｄの鉛直面９１ｃが被係止部８５Ｌ，８５Ｒの上板部８５ａの後端に当接するとともに、支持体９３の鉛直面９３ｄが被係止部８５Ｌ，８５Ｒの上板部８５ａの前端に当接する。このため、上部筐体３Ｕを下部筐体３Ｄに対して後方へスライドさせるだけで係止部８７Ｌ，８７Ｒを被係止部８５Ｌ，８５Ｒと係止させることができ、これによって、簡易な構成で上部筐体３Ｕと下部筐体３Ｄとの結合作業を容易に行うことができ、作業効率を向上することができる。
【００７５】
また、この実施形態によれば、把持されたレバー５３Ｌ，５３Ｒの前方への移動により連結体１０１を介して連結された作動軸９９がばね１０９の付勢力に抗して前方に移動し、この作動軸９９の前方への移動により可動枠体１０３の当接部１０３ｄが上方に移動する向きに可動枠体１０３が回動し、可動枠体１０３の当接部１０３ｄが作動体９１の前端部９１ｅの下面に当接して該前端部９１ｅを持ち上げることで、作動体９１の後端がばね９７の付勢力に抗して下方に移動する向きに作動体９１が回動するため、フック９１ｄの鉛直面９１ｃが被係止部８５Ｌ，８５Ｒの上板部８５ａの後端との当接状態から解放されることとなり、簡素な構成で係止部８７Ｌ，８７Ｒの被係止部８５Ｌ，８５Ｒとの係止を確実に解除することができる。また、上部筐体３Ｕが前下部に操作空間５１Ｌ，５１Ｒを有し、その操作空間５１Ｌ，５１Ｒ内の把持可能な位置に前後方向に移動自在にレバー５３Ｌ，５３Ｒが配設されているため、そのレバー５３Ｌ，５３Ｒを容易に把持することができる。
【００７６】
また、この実施形態によれば、上部扉７Ｕの前下部に設けられた操作空間５１Ｌ，５１Ｒを下パネル部９により覆っているため、操作空間５１Ｌ，５１Ｒが外部に露出することがなくなり、操作空間５１Ｌ，５１Ｒを介して異物を挿入するような不正行為が行われるのを未然に防止することができる。また、被係止部８５Ｌ，８５Ｒおよび係止部８７Ｌ，８７Ｒがそれぞれ左右２箇所に設けられているため、上部筐体３Ｕを確実にロックすることができる。また、解除機構８９Ｌ，８９Ｒおよび操作空間５１Ｌ，５１Ｒがそれぞれ左右２箇所に設けられているため、上部筐体３Ｕと下部筐体３Ｄとの分離作業を両手で容易に行うことができる。
【００７７】
なお、本発明は上記実施形態に限定されるものではなく、その趣旨を逸脱しない限りにおいて上述したもの以外に種々の変更を行うことが可能である。例えば、上記実施形態では、下部ガイドレール６１Ｌ，６１Ｒの立直部６３Ｌ，６３Ｒを水平方向の厚さ寸法が一定の後端部６３Ｌａ，６３Ｒａおよび前端部６３Ｌｂ，６３Ｒｂとその間の中間部６３Ｌｃ，６３Ｒｃとで形成し、上部ガイドレール７１Ｌ，７１Ｒの折曲部７５Ｌ，７５Ｒを水平方向の幅寸法が一定の後端部７５Ｌａ，７５Ｒａおよび前端部７５Ｌｂ，７５Ｒｂと、その間の中間部７５Ｌｃ，７５Ｒｃとで形成しているが、これに限られず、下部ガイドレール６１Ｌ，６１Ｒの立直部６３Ｌ，６３Ｒの左右の外寸が後端に比し前端が小さく形成され（上記実施形態ではＤ２＞Ｄ１）、上部ガイドレール７１Ｌ，７１Ｒの折曲部７５Ｌ，７５Ｒの左右の内寸が後端に比し前端が小さく形成され（上記実施形態ではＤ４＞Ｄ３）ていればよい。例えば下部ガイドレール６１Ｌ，６１Ｒの立直部６３Ｌ，６３Ｒを水平方向の幅寸法が後端から前端まで直線的に減少するように形成し、上部ガイドレール７１Ｌ，７１Ｒの折曲部７５Ｌ，７５Ｒを水平方向の幅寸法が後端から前端まで直線的に増大するように形成してもよい。また、下部ガイドレール６１Ｌ，６１Ｒの立直部６３Ｌ，６３Ｒの水平方向の厚さ寸法を後端から前端に亘ってほぼ一定にハ字形状に形成し、上部ガイドレール７１Ｌ，７１Ｒの折曲部７５Ｌ，７５Ｒの水平方向の幅寸法を後端から前端に亘ってほぼ一定にハ字形状に形成してもよい。これらの形態でも、上記実施形態と同様に、結合位置での遊びを小さくして結合状態でのがたつきを低減したままで、上部ガイドレール７１Ｌ，７１Ｒと下部ガイドレール６１Ｌ，６１Ｒとの係合を容易に行うことができ、これによって、上部筐体３Ｕと下部筐体３Ｄとの結合作業の作業効率を向上することができる。
【００７８】
また、下部ガイドレール６１Ｌの折曲部６５Ｌの鉛直方向の厚さ寸法および上部ガイドレール７１Ｌの折曲部７５Ｌの鉛直方向の厚さ寸法は、上記実施形態に限られず、下部ガイドレール６１Ｌ，６１Ｒの折曲部６５Ｌ，６５Ｒの下面と下部収納箱５Ｄの上面との第１隙間の寸法が後端より前端の方が大きく形成され（上記実施形態ではＤ６＜Ｄ５）、上部ガイドレール７１Ｌ，７１Ｒの折曲部７５Ｌ，７５Ｒの上面と上部収納箱５Ｕの下面との第２隙間の寸法が前端より後端の方が大きく形成され（上記実施形態ではＤ１２＞Ｄ１１）ていればよい。例えば、それぞれ鉛直方向の厚さ寸法が直線的に変化するように形成してもよい。すなわち、下部ガイドレール６１Ｌ，６１Ｒの折曲部６５Ｌ，６５Ｒの下面と下部収納箱５Ｄの上面との隙間の寸法が後端に比し前端が大きく形成され（上記実施形態ではＤ５＞Ｄ６）、この隙間の寸法に適合するように、上部ガイドレール７１Ｌ，７１Ｒの折曲部７５Ｌ，７５Ｒの鉛直方向の厚さ寸法が後端に比し前端が大きく形成され（上記実施形態ではＤ７＞Ｄ８）ていてもよい。また、下部ガイドレール６１Ｌの折曲部６５Ｌの鉛直方向の厚さ寸法が後端から前端に亘って一定で傾斜するように（図１０中、右斜め下がり）形成してもよい。また、上部ガイドレール７１Ｌの折曲部７５Ｌの鉛直方向の厚さ寸法が後端から前端に亘って一定で傾斜するように（図１０中、右斜め下がり）形成してもよい。これらの形態でも、結合位置での遊びを小さくして結合状態でのがたつきを低減したままで、上部ガイドレール７１Ｌ，７１Ｒと下部ガイドレール６１Ｌ，６１Ｒとの係合を容易に行うことができる。
【００７９】
また、上記実施形態では、下部ガイドレール６１Ｌ，６１Ｒの折曲部６５Ｌ，６５Ｒに対して上部ガイドレール７１Ｌ，７１Ｒの折曲部７５Ｌ，７５Ｒが下方から対峙する構成として、下部ガイドレール６１Ｌ，６１Ｒの立直部６３Ｌ，６３Ｒの上端がそれぞれ外向きに折り曲げられて折曲部６５Ｌ，６５Ｒが形成され、上部ガイドレール７１Ｌ，７１Ｒの立直部７３Ｌ，７３Ｒの下端がそれぞれ内向きに折り曲げられて折曲部７５Ｌ，７５Ｒが形成されているが、本発明はこれに限られず、折り曲げ方向は逆でもよい。すなわち下部ガイドレール６１Ｌ，６１Ｒの立直部６３Ｌ，６３Ｒの上端をそれぞれ内向きに折り曲げて折曲部６５Ｌ，６５Ｒを形成し、上部ガイドレール７１Ｌ，７１Ｒの立直部７３Ｌ，７３Ｒの下端をそれぞれ外向きに折り曲げて折曲部７５Ｌ，７５Ｒを形成してもよい。図１９はこのような形態のスライド機構の正面図である。この図１９に示す形態でも、上記実施形態と同様に、上部筐体３Ｕとともに下部筐体３Ｄを一体的に持ち上げることができる。また、上記実施形態と同様に、両ガイドレール６１Ｌ，６１Ｒ，７１Ｌ，７１Ｒの立直部６３Ｌ，６３Ｒ，７３Ｌ，７３Ｒにより上部筐体３Ｕと下部筐体３Ｄとの側面の境界を確実に閉塞することができる。
【００８０】
なお、図１９に示す形態の場合には、下部ガイドレール６１Ｌ，６１Ｒの立直部６３Ｌ，６３Ｒの左右の内寸Ｄ２１を後端に比し前端が大きくなるように形成し、それに適合するように、上部ガイドレール７１Ｌ，７１Ｒの折曲部７５Ｌ，７５Ｒの左右の外寸Ｄ２２を後端に比し前端が大きくなるように形成すると、上記実施形態と同様に、上部筐体３Ｕの後端を下部筐体３Ｄの前端に近付けて上部ガイドレール７１Ｌ，７１Ｒの後端と下部ガイドレール６１Ｌ，６１Ｒの前端とを係合させる際に、上部ガイドレール７１Ｌ，７１Ｒと下部ガイドレール６１Ｌ，６１Ｒとの係合を容易に行うことができ、これによって上部筐体３Ｕと下部筐体３Ｄとの結合作業の作業効率を向上することができる。
【００８１】
また、上記実施形態では、ロック機構は被係止部８５Ｌ，８５Ｒと係止部８７Ｌ，８７Ｒとで構成しているが、ロック機構の構成は上記実施形態に限られず、上部筐体３Ｕの下部筐体３Ｄに対する後方へのスライドにより結合位置において上部筐体３Ｕをロックする構成であればよい。また、リンク機構の構成は上記実施形態に限られず、把持されたレバー５３Ｌ，５３Ｒの前方への移動により、作動体９１の後端のフック９１ｄをばね９７の付勢力に抗して下方に移動する向きに作動体９１を回動させるものであればよい。
【図面の簡単な説明】
【００８２】
【図１】本発明にかかる分離型スロットマシンの一実施形態の外観を示す斜視図である。
【図２】ベットスイッチを示す斜視図である。
【図３】下パネル部が取り外された分離型スロットマシンの斜視図である。
【図４】下パネル部を取り外して上部筐体を下部筐体から分離した状態を示す右側面図である。
【図５】下部筐体の斜視図である。
【図６】上部筐体と下部筐体との結合状態におけるスライド機構の正面図である。
【図７】図６のＡ−Ａ線断面図である。
【図８】図６のＢ−Ｂ線断面図である。
【図９】図７における結合前の状態を示す図である。
【図１０】図８における結合前の状態を示す図である。
【図１１】一部を破断してロック機構および解除機構を示す分離型スロットマシンの正面図である。
【図１２】一部を破断してロック機構および解除機構を示す分離型スロットマシンの右側面図である。
【図１３】ロック機構の被係止部の斜視図である。
【図１４】（Ａ）〜（Ｅ）はそれぞれ互いに異なる方向から見たロック機構の係止部の斜視図である。
【図１５】ロック機構の係止部の右側面図である。
【図１６】（Ａ）〜（Ｄ）はそれぞれ互いに異なる方向から見た解除機構の斜視図である。
【図１７】解除機構の右側面図である。
【図１８】ロック機構および解除機構の動作を説明する右側面図で、（Ａ）は上部筐体が下部筐体に対して後方にスライド可能な状態を示し、（Ｂ）はロック機構により上部筐体が結合位置でロックされた状態を示し、（Ｃ）は解除機構によりロック機構のロックが解除された状態を示している。
【図１９】変形形態のスライド機構の正面図である。
【符号の説明】
【００８３】
１…分離型スロットマシン、３Ｄ…下部筐体、３Ｕ…上部筐体、５Ｄ…下部収納箱、５Ｕ…上部収納箱、７Ｄ…下部扉、７Ｕ…上部扉、９…下パネル部（閉塞部材）、１１…電源ユニット、１３…ホッパーユニット、１５…リールユニット、１５Ｌ，１５Ｍ，１５Ｒ…左・中・右回転リール、１７…基板ユニット、１９…操作ユニット、５１Ｌ，５１Ｒ…操作空間、５３Ｌ，５３Ｒ…レバー、５９…スライド機構、６１Ｌ，６１Ｒ…下部ガイドレール、６３Ｌ，６３Ｒ…下部ガイドレールの立直部、６５Ｌ，６５Ｒ…下部ガイドレールの折曲部、７１Ｌ，７１Ｒ…上部ガイドレール、７３Ｌ，７３Ｒ…上部ガイドレールの立直部、７５Ｌ，７５Ｒ…上部ガイドレールの折曲部、８５Ｌ，８５Ｒ…被係止部、８５ａ…被係止部の上板部、８７Ｌ，８７Ｒ…係止部、８９Ｌ，８９Ｒ…解除機構、９１…作動体、９１ｂ…フックの傾斜面、９１ｃ…フックの鉛直面、９１ｄ…フック、９１ｅ…作動体の前端部、９３…支持体、９３ｃ…作動体規制部、９３ｄ…支持体の鉛直面（スライド規制部）、９５…支軸、９７…ばね（付勢部材）、９９…作動軸（リンク機構）、１０１…連結体（リンク機構）、１０３…可動枠体（リンク機構）、１０３ｄ…可動枠体の当接部、１０５…固定枠体（リンク機構）、１０５ｃ…凹部（可動枠体規制部、リンク機構）、１０７…支持軸、１０９…ばね（付勢体、リンク機構）
【図１】
2006141662.tif 000003
【図２】
2006141662.tif 000004
【図３】
2006141662.tif 000005
【図４】
2006141662.tif 000006
【図５】
2006141662.tif 000007
【図６】
2006141662.tif 000008
【図７】
2006141662.tif 000009
【図８】
2006141662.tif 000010
【図９】
2006141662.tif 000011
【図１０】
2006141662.tif 000012
【図１１】
2006141662.tif 000013
【図１２】
2006141662.tif 000014
【図１３】
2006141662.tif 000015
【図１４】
2006141662.tif 000016
【図１５】
2006141662.tif 000017
【図１６】
2006141662.tif 000018
【図１７】
2006141662.tif 000019
【図１８】
2006141662.tif 000020
【図１９】
2006141662.tif 000021